(57)【特許請求の範囲】
【請求項１】
微粉炭の生成方法であって、
高温ガス発生器内で所定温度に加熱された乾燥ガスを用意する工程と
該加熱乾燥ガスを粉砕機に供給する工程と
粗炭を該粉砕機に導入し、該粗炭を該粉砕機が微粉炭に粉砕する工程と
粉砕機から微粉炭と乾燥ガスの混合物を収集し、該混合物をフィルタに供給し、該フィルタが乾燥微粉炭を乾燥ガスから分離する工程と
乾燥微粉炭を後の使用のため収集し、前記フィルタから乾燥ガスを排出路に送る工程と
前記フィルタを出た乾燥ガスを収集し、該収集乾燥ガスの一部を再循環路に供給して、再循環乾燥ガスを前記高温ガス発生器に供給する工程
を含む方法において、
前記乾燥ガスを用意する工程が、可変流量の熱風炉排ガスを、熱風炉排ガス路を通して前記高温ガス発生器に、乾燥ガスとして用いられる熱風炉排ガスの量が最大となるように供給することを含んで成り、
粉砕機ガス注入口における前記乾燥ガスの圧力が、前記熱風炉排ガス路を通る前記熱風炉排ガスの流量を調整することによって制御される
ことを特徴とする方法。
【請求項２】
前記熱風炉排ガスの流量が、前記熱風炉排ガス路に配置された熱風炉排気ファンによって調整されるようにして成る請求項１に記載の方法。
【請求項３】
前記乾燥ガスの流量が、前記排出路に配置された主要ファンによって調整されるようにして成る請求項１又は２に記載の方法。
【請求項４】
前記方法が熱風炉排ガス動作モードを含み、
前記再循環路が遮断されて、再循環乾燥ガスが前記高温ガス発生器に供給されることがないようにし、
前記熱風炉排ガス路が開放されて、熱風炉排ガスのみが前記高温ガス発生器に可変流量で供給されるようにし、
前記粉砕機ガス注入口における前記乾燥ガスの前記圧力が、前記排出路における前記乾燥ガスの流量を設定及び前記熱風炉排ガス路を通る前記熱風炉排ガスの前記流量を調整することにより制御されるようにして成る
請求項１〜３の何れかに記載の方法。
【請求項５】
前記方法が第１の中間動作モードを含み、
前記再循環路が開放されて、再循環乾燥ガスが前記高温ガス発生器に可変流量で供給されるようにし、
前記熱風炉排ガス路が開放されて、熱風炉排ガスが前記高温ガス発生器に可変流量で供給されるようにし、
前記粉砕機ガス注入口における前記乾燥ガスの前記圧力が、前記排出路における前記乾燥ガスの流量を設定及び前記熱風炉排ガス路を通る前記熱風炉排ガスの前記流量を調整することにより制御されるようにして成る
請求項１〜３の何れかに記載の方法。
【請求項６】
前記方法が第２の中間動作モードを含み、
前記再循環路が開放されて、再循環乾燥ガスが前記高温ガス発生器に可変流量で供給されるようにし、
前記熱風炉排ガス路が開放されて、熱風炉排ガスが前記高温ガス発生器に一定流量で供給されるようにし、
前記粉砕機ガス注入口における前記乾燥ガスの前記圧力が、前記排出路における前記乾燥ガスの流量を設定及び排気路に配置される制御ダンパの位置を調整することにより制御されるようにして成る
請求項１〜３の何れかに記載の方法。
【請求項７】
前記方法が通常の動作モードを含み、
前記再循環路が開放されて、再循環乾燥ガスが前記高温ガス発生器に可変流量で供給されるようにし、
前記熱風炉排ガス路が遮断されて、熱風炉排ガスが前記高温ガス発生器に供給されないようにし、
前記粉砕機ガス注入口における前記乾燥ガスの前記圧力が、前記排出路を通る前記乾燥ガスの流量を設定及び排気路に配置される制御ダンパの位置を調整することにより制御されるようにして成る
請求項１〜３の何れかに記載の方法。
【請求項８】
前記方法が熱風炉排ガス動作モードと第１の中間動作モードとを含み、
ここで熱風炉排ガス動作モードとは、
前記再循環路が遮断されて、再循環乾燥ガスが前記高温ガス発生器に供給されることがないようにし、
前記熱風炉排ガス路が開放されて、熱風炉排ガスのみが前記高温ガス発生器に可変流量で供給されるようにし、
前記粉砕機ガス注入口における前記乾燥ガスの前記圧力が、前記排出路における前記乾燥ガスの流量を設定及び前記熱風炉排ガス路を通る前記熱風炉排ガスの前記流量を調整することにより制御されるようにするモードであり、
第１の中間動作モードとは、
前記再循環路が開放されて、再循環乾燥ガスが前記高温ガス発生器に可変流量で供給されるようにし、
前記熱風炉排ガス路が開放されて、熱風炉排ガスが前記高温ガス発生器に可変流量で供給されるようにし、
前記粉砕機ガス注入口における前記乾燥ガスの前記圧力が、前記排出路における前記乾燥ガスの流量を設定及び前記熱風炉排ガス路を通る前記熱風炉排ガスの前記流量を調整することにより制御されるようにモードであり、
前記熱風炉排ガスの所定成分の濃度が第１の濃度閾値を上回ったら、及び/又は前記熱風炉排ガスの温度が第１の温度閾値を下回ったら、前記方法は熱風炉排ガス動作モードから第１の中間動作モードに切り換わるようにして成る請求項１〜３の何れかに記載の方法。
【請求項９】
前記方法が第１の中間動作モードと第２の中間動作モードとを含み、
ここで第１の中間動作モードとは、
前記再循環路が開放されて、再循環乾燥ガスが前記高温ガス発生器に可変流量で供給されるようにし、
前記熱風炉排ガス路が開放されて、熱風炉排ガスが前記高温ガス発生器に可変流量で供給されるようにし、
前記粉砕機ガス注入口における前記乾燥ガスの前記圧力が、前記排出路における前記乾燥ガスの流量を設定及び前記熱風炉排ガス路を通る前記熱風炉排ガスの前記流量を調整することにより制御されるようにモードであり、
第２の中間動作モードとは、
前記再循環路が開放されて、再循環乾燥ガスが前記高温ガス発生器に可変流量で供給されるようにし、
前記熱風炉排ガス路が開放されて、熱風炉排ガスが前記高温ガス発生器に一定流量で供給されるようにし、
前記粉砕機ガス注入口における前記乾燥ガスの前記圧力が、前記排出路における前記乾燥ガスの流量を設定及び排気路に配置される制御ダンパの位置を調整することにより制御されるようにするモードであり、
前記熱風炉排ガスの所定成分の濃度が第２の濃度閾値を上回ったら、及び/又は前記熱風炉排ガスの温度が第２の温度閾値を下回ったら、前記方法は第１の中間動作モードから第２の中間動作モードに切り換わるようにして成る請求項１〜３の何れかに記載の方法。
【請求項１０】
前記方法が第２の中間モードと、通常の動作モードとを含み、
ここで第２の中間モードとは、  
前記再循環路が開放されて、再循環乾燥ガスが前記高温ガス発生器に可変流量で供給されるようにし、
前記熱風炉排ガス路が開放されて、熱風炉排ガスが前記高温ガス発生器に一定流量で供給されるようにし、
前記粉砕機ガス注入口における前記乾燥ガスの前記圧力が、前記排出路における前記乾燥ガスの流量を設定及び排気路に配置される制御ダンパの位置を調整することにより制御されるようにするモードであり、
通常の動作モードとは、
前記再循環路が開放されて、再循環乾燥ガスが前記高温ガス発生器に可変流量で供給されるようにし、
前記熱風炉排ガス路が遮断されて、熱風炉排ガスが前記高温ガス発生器に供給されないようにし、
前記粉砕機ガス注入口における前記乾燥ガスの前記圧力が、前記排出路を通る前記乾燥ガスの流量を設定及び排気路に配置される制御ダンパの位置を調整することにより制御されるようにするモードであり、
前記第２の中間動作モードが開始されてから所定時間が経過したら、前記方法は第２の中間動作モードから通常の動作モードに切り換わるようにして成る請求項１〜３の何れかに記載の方法。
【請求項１１】
前記方法が通常の動作モードと、熱風炉排ガス動作モードとを含み、
ここで通常の動作モードとは、
前記再循環路が開放されて、再循環乾燥ガスが前記高温ガス発生器に可変流量で供給されるようにし、
前記熱風炉排ガス路が遮断されて、熱風炉排ガスが前記高温ガス発生器に供給されないようにし、
前記粉砕機ガス注入口における前記乾燥ガスの前記圧力が、前記排出路を通る前記乾燥ガスの流量を設定及び排気路に配置される制御ダンパの位置を調整することにより制御されるようにするモードであり、
熱風炉排ガス動作モードとは、
前記再循環路が遮断されて、再循環乾燥ガスが前記高温ガス発生器に供給されることがないようにし、
前記熱風炉排ガス路が開放されて、熱風炉排ガスのみが前記高温ガス発生器に可変流量で供給されるようにし、
前記粉砕機ガス注入口における前記乾燥ガスの前記圧力が、前記排出路における前記乾燥ガスの流量を設定及び前記熱風炉排ガス路を通る前記熱風炉排ガスの前記流量を調整することにより制御されるようにするモードであり、
粉砕・乾燥装置の起動時に、又は
熱風炉排ガスが利用可能になったとき、又は
前記熱風炉排ガスの所定成分の濃度が第３の濃度閾値を下回ったら、及び/又は前記熱風炉排ガスの温度が第３の温度閾値を上回ったら、
前記方法は通常の動作モードから熱風炉排ガス動作モードに切り換わるようにして成る請求項１〜３の何れかに記載の方法。
【請求項１２】
前記方法が通常の動作モードを含み、
ここで通常の動作モードとは、
前記再循環路が開放されて、再循環乾燥ガスが前記高温ガス発生器に可変流量で供給されるようにし、
前記熱風炉排ガス路が遮断されて、熱風炉排ガスが前記高温ガス発生器に供給されないようにし、
前記粉砕機ガス注入口における前記乾燥ガスの前記圧力が、前記排出路を通る前記乾燥ガスの流量を設定及び排気路に配置される制御ダンパの位置を調整することにより制御されるようにするモードであり、
熱風炉排ガスが利用不可能な場合、前記方法が通常の動作モードに切り換わるようにして成る請求項１〜３の何れかに記載の方法。
【請求項１３】
前記方法が通常の動作モードを含み、
ここで通常の動作モードとは、
前記再循環路が開放されて、再循環乾燥ガスが前記高温ガス発生器に可変流量で供給されるようにし、
前記熱風炉排ガス路が遮断されて、熱風炉排ガスが前記高温ガス発生器に供給されないようにし、
前記粉砕機ガス注入口における前記乾燥ガスの前記圧力が、前記排出路を通る前記乾燥ガスの流量を設定及び排気路に配置される制御ダンパの位置を調整することにより制御されるようにするモードであり、
所定成分濃度が所定変化率閾値を越える変化率で変動することが確認されたら、前記方法は通常の動作モードに切り換わるようにして成る請求項１〜３の何れかに記載の方法。
【請求項１４】
前記熱風炉排ガスにおける所定成分の前記濃度が前記熱風炉排ガス路に配置されるガス分析器によって監視され、及び／又は前記熱風炉排ガスの温度が前記熱風炉排ガス路に配置される温度センサにより監視されるようにして成る請求項８〜１１、１３の何れかに記載の方法。
【発明の詳細な説明】
【技術分野】
【０００１】
本発明は一般に微粉炭、特に冶金工業に用いられる微粉炭の生成方法に関する。
【背景技術】
【０００２】
冶金工業では微粉炭が一般に、可燃物質として溶鉱炉に注入される。溶鉱炉が良好に機能するためには、微粉炭は良品質であること、即ち微粉炭の粒度分布が適正であり、且つその湿度レベルが最低であることが重要である。微粉炭は一般に粉砕・乾燥装置で生成され、そこで粗炭が粉砕、乾燥、そして分類された後、生じた微粉炭は貯蔵ビンに送られ、その後溶鉱炉に注入される。生粉砕炭に含まれる水は、混合物を高温乾燥ガス流によって粉砕機からフィルタに運ばれる間に自然に蒸発される。微粉炭はフィルタの内部で乾燥ガス流から分離され、貯蔵ビンに送られる。乾燥ガスの一部は再循環され、高温ガス発生器の内部で燃焼排ガスと混合された後、粉砕機に再導入される。乾燥ガスの残部は、煙突に通じる排気路を介して排出される。
【０００３】
乾燥ガスを再循環することにより、循環路を自己不活性式に動作させ、粉砕機ガス注入口における乾燥ガスの温度を適切に約３００℃にすることができる。だが、乾燥ガスの再循環には難点もある。即ち、乾燥ガスの露点が高いことと、高温ガス発生器内部の燃焼のための燃料ガス消費が大きいことである。
【０００４】
熱風炉施設からの排ガスを粉砕・乾燥装置における乾燥ガスとして用いることが提案されている。斯かる熱風炉施設から流出する排ガスは一般に温度が、熱風炉施設の動作に応じて約１００〜３５０℃である。この熱風炉排ガスは炉出ガス収集機におけるファンによって吸引され、粉砕・乾燥装置に搬送される。より詳しくは、熱風炉排ガスは再循環路に送られ、再循環乾燥ガスと高温ガス発生器の燃焼排ガスに混合される。熱風炉排ガスは一定の流量で循環路に添加される。この熱風炉排ガス定流量は十分低くして、一定流量の再循環乾燥ガスが常に用いられているようにしなければならない。これは実に、粉砕機ガス注入口における乾燥ガスの圧力を制御できるようにするため必要である。また、熱風炉排ガスはその組成によっては、ＣＯ及びＯ２の望ましくないピークを惹き起すことがある。従って、熱風炉排ガスの供給を遮断し、再循環乾燥ガスのみが高温ガス発生器内の燃焼ガスと混合されるようにする通常の動作モードに切り換えることができなければならない。粉砕機ガス注入口における乾燥ガスの圧力を調整するため、排気路に設けた制御ダンパが粉砕・乾燥回路内の圧力分布を調整するように操作される。
【０００５】
このシステムの主な問題点は、熱風炉排ガスが回路に一定の流量で添加されるため熱風炉排ガスをエネルギー的により効率良く用い得ないと云うことである。
【発明の概要】
【発明が解決しようとする課題】
【０００６】
本発明の目的は、従来方法の欠点を惹き起さない、改良された微粉炭生成方法を提供することにある。
【課題を解決するための手段】
【０００７】
この目的を達成するため、本発明は微粉炭の生成方法であって、
高温ガス発生器内で所定温度に加熱された乾燥ガスを提供する工程と
該加熱乾燥ガスを粉砕機に供給する工程と
粗炭を該粉砕機に導入し、該粗炭を該粉砕機が微粉炭に粉砕する工程と
乾燥ガスと粉砕機からの微粉炭の混合物を収集し、該混合物をフィルタに供給し、該フィルタが乾燥微粉炭を乾燥ガスから分離する工程と
乾燥微粉炭を後時の使用のため収集し、前記フィルタから乾燥ガスを排出路に供給する工程と
前記フィルタを出る乾燥ガスを収集し、該収集乾燥ガスの一部を再循環路に供給して、再循環乾燥ガスを前記高温ガス発生器に供給する工程
を含む方法を提案する。
【０００８】
本発明の重要な側面によれば、前記乾燥ガスを提供する工程が、可変流量の熱風炉排ガスを、熱風炉排ガス路を通して前記高温ガス発生器に供給することを含んで成り、熱風炉排ガスの前記流量が乾燥ガスとして用いられる熱風炉排ガスの量を最大となるようにして成り、粉砕機ガス注入口における前記乾燥ガスの圧力は、前記熱風炉排ガス路を通る前記熱風炉排ガスの流量を調整することによって制御される。
【０００９】
可変流量の熱風炉排ガスを用いることにより、動作状態によって可能になる熱風炉排ガスの使用量を増大することができる。これは、一定流量の熱風炉排ガスが用いられ、斯かる流量が、一定量の再循環乾燥ガスが乾燥ガスの圧力を制御するのに常に用いられように十分低くなければならない従来の方法とは対照的である。
【００１０】
熱風炉排ガスの流量を増大することによって、高温ガス発生器を用いて乾燥ガスを更に加熱する必要を低減することができる。従って、高温ガス発生器内部の燃焼のため燃料ガスの消費量を低減して相当の節約を図ることができる。
【００１１】
好ましくは、熱風炉排ガスの流量が、熱風炉排ガス路に配置される熱風炉排気ファンによって調整される。乾燥ガスの全流量を前記排出路に配置される主要ファンによって調整することもできる。
【００１２】
尚、本発明の文脈において用語「ファン」は、ファンを通るガスの体積流量を変更できる任意のファンとして理解されるべきである。斯かるファンは例えば、可変周波数モータの有するファン、又はファンの上流又は下流にダンパが配置された固定周波数モータを有するファンでも良い。
【００１３】
再循環路は、排出路から乾燥ガスを高温ガス発生器に供給し、粉砕・乾燥装置が種々の動作モードで動作できるようするため設けられる。
【００１４】
本発明による方法は好ましくは熱風炉排ガス動作モードを含んで成り、
再循環路が遮断されて、再循環乾燥ガスが高温ガス発生器に供給されないようにし、
熱風炉排ガス路が開放されて、熱風炉排ガスのみが高温ガス発生器に可変流量で供給されるようにし、
粉砕機ガス注入口における乾燥ガスの前記圧力は、排出路における乾燥ガスの流量を設定すること及び熱風炉排ガス路を通る熱風炉排ガスの流量を調整することにより制御される。
【００１５】
粉砕後の炭の湿度を蒸発するのに必要なエネルギーの殆どが熱風炉排ガスによって供給され、必要なエネルギーの残部は高温ガス発生器によって供給される。再循環路を閉じることによって、熱風炉排ガスの使用量を最大にでき、それにより乾燥ガスを更に加熱するため高温ガス発生器を用いる必要を低減することができる。従って、高温ガス発生器内部の燃焼のための燃料ガスの消費量を低減して相当の節約を図ることができる。熱風炉排ガスが十分熱く、高温ガス発生器による更なる加熱が必要でなくなる場合もあろう。乾燥ガスを粉砕機ガス注入口における所望温度にするため、例えば水噴射システムを用いて、結果と得られる乾燥ガスを冷却する必要もあるかもしれない。
【００１６】
本発明による方法は好ましくは更に、第１の中間動作モードを含んで成り、
再循環路が開放されて、再循環乾燥ガスが高温ガス発生器に可変流量で供給されるようにし、
熱風炉排ガス路が開放されて、熱風炉排ガスが高温ガス発生器に可変流量で供給されるようにし、
粉砕機ガス注入口における乾燥ガスの圧力は、排出路における乾燥ガスの流量を設定及び熱風炉排ガス路を通る熱風炉排ガスの流量を調整することにより制御される。
【００１７】
再循環乾燥ガスが熱風炉排ガスと混合されて乾燥ガスを形成する。これ等２つのガスの混合を制御することによって、乾燥ガスの組成を調整することができる。例えば熱風炉排ガスのＣＯ又はＯ２濃度が高すぎる場合、熱風炉排ガスの流量を低下することによって再循環乾燥ガスの量が増大され、それにより結果として得られる乾燥ガス内のＣＯ又はＯ２濃度を低下することができる。
【００１８】
本発明による方法は好ましくは更に、第２の中間動作モードを含んで成り、
再循環路が開放されて、再循環乾燥ガスが高温ガス発生器に可変流量で供給されるようにし、
熱風炉排ガス路が開放されて、熱風炉排ガスが高温ガス発生器に一定流量で供給されるようにし、
粉砕機ガス注入口における乾燥ガスの圧力は、排出路における乾燥ガスの流量を設定及び排気路に配置される制御ダンパの位置を調整することにより制御される。
【００１９】
再循環乾燥ガスが熱風炉排ガスと混合されて乾燥ガスを形成する。これ等２つのガスの混合を制御することによって、乾燥ガスの組成を調整することができる。例えば熱風炉排ガスのＣＯ又はＯ２濃度が高すぎる場合、熱風炉排ガスの流量を低下することによって再循環乾燥ガスの量が増大され、それにより結果として得られる乾燥ガス内のＣＯ又はＯ２濃度を低下することができる。
【００２０】
本発明による方法は好ましくは更に、通常の動作モードを含み、
再循環路が開放されて、再循環乾燥ガスが高温ガス発生器に可変流量で供給されるようにし、
熱風炉排ガス路が遮断されて、熱風炉排ガスが高温ガス発生器に供給されないようにし、
粉砕機ガス注入口における乾燥ガスの圧力は、排出路を通る乾燥ガスの流量を設定及び排気路に配置される制御ダンパの位置を調整することにより制御される。
【００２１】
熱風炉排ガスのＣＯ又はＯ２濃度が再循環乾燥ガスの添加によっても補償されない程度まで高い場合もある。この場合、本方法は再循環乾燥ガスのみが用いられる通常のモードで行われる。また、この通常のモードは熱風炉排ガスが例えば熱風炉施設の停止の場合のように利用できないときでも粉砕・乾燥装置を動作させることができる。
【００２２】
熱風炉排ガスの所定成分の濃度が第１の濃度閾値を上回ったら、及び/又は熱風炉排ガスの温度が第１の温度閾値を下回ったら、本方法は前記熱風炉排ガス動作モードから前記第１の中間動作モードに切り換わるようにできる。
【００２３】
熱風炉排ガスの所定成分の濃度が第２の濃度閾値を上回ったら、及び/又は熱風炉排ガスの温度が第２の温度閾値を下回ったら、本方法は前記第１の中間動作モードから前記第２の中間動作モードに切り換わるようにできる。
【００２４】
２の中間動作モードが開始されてから所定時間が経過したら、本方法は前記第２の中間動作モードから前記通常の動作モードに切り換わるようにできる。
【００２５】
粉砕・乾燥装置の起動時に、又は熱風炉排ガスが利用可能になったとき、又は
熱風炉排ガスの所定成分の濃度が第３の濃度閾値を下回ったら及び/又は熱風炉排ガスの温度が第３の温度閾値を上回ったら、本方法は前記通常の動作モードから前記熱風炉排ガス動作モードに切り換わるようにできる。
【００２６】
例えば熱風炉施設の停止の場合のような熱風炉排ガスが利用不可能な場合、本方法は何れかの動作モードから通常の動作モードに切り換わるようにできる。本方法は好ましくは直接、通常の動作モードに切り換わるが、本方法が中間モードを介して該通常のモードに切り換わるようにすることも排除されるべきではない。
【００２７】
所定成分濃度が所定変化率閾値上の変化率で変動することが確認されたら、本方法は何れかの動作モードから通常の動作モードに切り換わるようにできる。ＣＯ又はＯ２濃度の急激なピークが熱風炉排ガスに生じたら、システムは通常のモードで動作でき、それによりＣＯ又は２濃度が高すぎる乾燥ガスを粉砕・乾燥装置を通して供給するのを回避することができる。本方法は好ましくは通常のモードに直接切り換わるが、本方法が中間モードを介して通常のモードに切り換わるようにすることも排除されるべきではない。
【００２８】
好ましくは、熱風炉排ガスにおける所定成分の前記濃度は、熱風炉排ガス路に配置されるガス分析器によって監視される。好ましくは、熱風炉排ガスの温度は熱風炉排ガス路に配置される温度センサにより監視される。
本発明は、添付図面を参照した一非限定実施態様の以下の記載からより明らかになろう。
【図面の簡単な説明】
【００２９】
【図１】本発明による方法を実施するのに用いられる粉砕・乾燥装置の概略図である。
【発明を実施するための形態】
【００３０】
図１は、本発明による方法を用いて微粉炭を生成する粉砕・乾燥装置を示す。
【００３１】
このような粉砕・乾燥装置１０では、粉砕機２０に粗炭が粗炭貯蔵ビン２１からコンベア２２を介して供給される。粉砕機２０では、粗炭が内部可動片（図示せず）間で又は他の任意の通常の粉砕手段で微粉に粉砕される。同時に、高温乾燥ガスが粉砕機２０を通して供給され微粉炭を乾燥させる。乾燥ガスは粉砕機ガス注入口２４を通して粉砕機２０に入る。粉砕機２０の上流において粉砕・乾燥装置１０は、乾燥ガスを所定の温度に加熱できる高温ガス発生器２６を含む。斯かる高温ガス発生器２６は、例えばマルチランス燃焼器等のバーナー２７によって促進される。加熱乾燥ガスは高温ガス発生器２６から導管２８を介して粉砕機２０に運ばれる。粉砕機ガス注入口２４から粉砕機出口３０まで粉砕機２０を通る加熱乾燥ガスに、微粉炭が同伴される。微粉炭と乾燥ガスの混合物は粉砕機２０から導管３２を通ってフィルタ３４に運ばれ、そこで微粉炭は再び乾燥ガスから除去され、微粉炭貯蔵ビン３６に送られ、後の使用に供される。フィルタ３４を流出する乾燥ガスは、排気路４０と再循環路４２に分かれる排出路３８に送られる。排気路４０は乾燥ガスを排出路３８から乾燥ガスを排気する煙突４４に送るのに用いることができ、一方再循環路４２は再循環乾燥ガスを排出路３８から高温ガス発生器２６に戻し送るのに用いることができる。
【００３２】
粉砕・乾燥装置１０は更に、二次源からの排ガスを高温ガス発生器２６に供給するための熱風炉排ガス路４６を含む。かかる排ガスは一般に、１つ以上の熱風炉施設４８、４８’から回収される熱風炉排ガスである。
【００３３】
作用において、熱風炉排ガスは熱風炉排ガス路４６を通って高温ガス発生器２６に送られ、高温ガス発生器２６内で所定の温度になるようにされ、乾燥ガスとして粉砕機２０を通して供給される。乾燥ガスの温度は乾燥ガスからの熱が微粉炭の乾燥に用いられるとき、粉砕機２０内で低減される。粗炭の湿度の程度が乾燥ガスの温度損失を決定する。フィルタ３４への損傷を防止するため、粉砕機２０を出る微粉炭と乾燥ガスの混合物の温度（以下、出口温度と云う）は、例えば温度センサ等によって監視される。
【００３４】
本発明の一好適な動作モードである熱風炉排ガス動作モードにおいて、再循環路４２は再循環路４２に配置された再循環ダンパ５２を用いて遮断され、全乾燥ガスは熱風炉排ガス路４６を通して装置に送られる熱風炉排ガスにより提供される。熱風炉排ガスは熱風炉排ガス路４６に配置された熱風炉排気ファン５４を用いて装置内に吹き込まれる。粉砕機２０を通るガス流量を調整する主ファン５６が排出路３８に設けられる。主ファン５６の動作は、粉砕機２０を通るガス流量が略一定になるように制御される。粉砕機ガス注入口２４における乾燥ガスの圧力は、熱風炉排気ファン５４を通る流量を調整することにより制御される。
【００３５】
粉砕機出口３０における温度は一般に、高温ガス発生器２６のバーナー２７の出力パワーにより制御される。
【００３６】
熱風炉排ガスは熱風炉施設の動作により生ずる温度変化を受けやすいので、斯かる温度変化はバランスを保たせる必要がある。出口温度が低下したら、より大きな熱が高温ガス発生器２６によって供給されなければならず、出口温度が上昇したら、より少ない熱が高温ガス発生器２６によって供給されなければならない。高温ガス発生器２６により供給される熱が最低に達し、出口温度が未だ高過ぎれば、乾燥ガスは高温ガス発生器の下流に配置される水噴射システム６０によって冷却することができる。
【００３７】
斯かる水噴射システム６０を用いて、加熱工程の応答時間を改善することができる。実際、高温ガス発生器２６によって発生される熱の増大及び減少は比較的遅い。この応答時間は装置の起動段階において特に重要であるが、高温ガス発生器２６内で乾燥ガスを過熱し、次いでそれを水噴射システム６０により所望温度に冷却することにより改善することができる。出口温度が所望の出口温度よりかなり下に急激に低下したら、一般に粗炭の粉砕機２０への導入が始まるとき、粉砕機２０に供給される乾燥ガスの温度を急速に適合させ、所望の出口温度を実質的に安定に保つようにすることができる。
【００３８】
熱風炉排ガスはその組成によっては、ＣＯ及びＯ２の望ましくないピークを惹き起すことがある。熱風炉排ガス路４６は、熱風炉排ガスのＣＯ及び／又はＯ２含有量を決定するためのガス分析器６２を含む。本発明による方法は好ましくは、熱風炉排ガスのＣＯ及び／又はＯ２含有量を監視することを含み、所定の閾値に達したら、本方法は例えばＣＯ又はＯ２濃度が高過ぎる乾燥ガスが粉砕・乾燥装置に供給されないようにするため、他の動作モードに切り換わるようにする。
【００３９】
本方法では、例えば熱風炉排ガスの所定成分の濃度が第１の濃度閾値を上回ったら、及び/又は熱風炉排ガスの温度が第１の温度閾値を下回ったら、熱風炉排ガス動作モードから第１の中間モードに切り換わる。この切り換えは再循環ダンパ５２を所定位置まで開いて、乾燥ガスの再循環を得ることを含んでも良い。排気路４０における制御ダンパ６６の位置も、変更されて良い。熱風炉排気ファン５４の動作点は、熱風炉排ガス路４６を通る熱風炉排ガスの流量を低減して、粉砕機注入口２４における乾燥ガスの圧力を一定に保つように変更される。熱風炉排気ダンパ６４の位置も変更されて良い。最後に、高温ガス発生器２６の熱出力は、熱風炉排ガスの低下による熱損失を補償するため、増大される。
【００４０】
本方法では、例えば熱風炉排ガスの所定成分の濃度が第２の濃度閾値を上回ったら、及び/又は熱風炉排ガスの温度が第２の温度閾値を下回ったら、第１の中間動作モードから第２の中間動作モードに切り換わる。この切り換えは再循環ダンパ５２及び制御ダンパ６６の位置の調節からなる。熱風炉排ガスの流量は、熱風炉排気ファン５４によって一定流量に設定される。熱風炉排気ダンパ６４の位置も、変更されて良い。更に、粉砕機ガス注入口における乾燥ガス圧力の制御は熱風炉排気ファン５４によっては最早行われず、制御ダンパ６６により行われる。
【００４１】
本方法では、第２の中間動作モードが開始されてから所定時間経過していれば、第２の中間動作モードから通常の動作モードに切り換わる。この切り換えは熱風炉排気ファン５４を停止し、熱風炉排気ダンパ６４を閉じ、それにより熱風炉排ガス路４６を遮断することからなる。再循環ダンパ５２の位置も、変更されて良い。最後に、高温ガス発生器２６の熱出力は、熱風炉排ガス路４６の遮断による熱損失を補償するため、増大される。
【００４２】
本方法では、粉砕・乾燥装置の起動時に、又は熱風炉排ガスが利用可能になるとき、又は熱風炉排ガスの所定成分の濃度が第３の濃度閾値下回ったら、及び/又は熱風炉排ガスの温度が第３の温度閾値を上回ったら、通常の動作モードから熱風炉排ガス動作モードに戻って切り換わる。斯かる切り換えは熱風炉排気ファン５４を開始し、且つ熱風炉排ガスダンパ６４を開く；再循環ダンパ５２を閉じ、且つ制御ダンパ６６を調節することからなる。粉砕機ガス注入口における乾燥ガス圧力の制御は熱風炉排気ファン５４によって再び行われ、制御ダンパ６６によっては行われない。また、高温ガス発生器２６の熱出力は、高温ガス発生器２６に送られる熱風炉排ガスの増大を補償するため、低減される。
【００４３】
本方法では、例えば熱風炉排ガスが利用不能な場合又は利用可能な熱風炉排ガスが使用不能な場合、熱風炉排ガス動作モードから通常の動作モードに切り換わる。熱風炉排ガスは例えば、熱風炉施設が停止の場合に利用不能であろう。熱風炉排ガスは例えば、熱風炉排ガス内のＣＯ又はＯ２の濃度に急激なピークがある場合に使用不能になることがある。
【００４４】
また、熱風炉排ガスを粉砕・乾燥装置に供給するため、少なくとも１つの熱風炉施設４８が必要なことに留意すべきである。各々が熱風炉施設ダンパ７０、７０’を有する２つ以上の熱風炉施設を熱風炉排ガス路４６に導管６８、６８’を介して接続することができる。熱風炉施設ダンパ７０、７０’の動作を用いて、熱風炉排ガス温度を制御、又は熱風炉排ガス中のＣＯ又はＯ２濃度を制御、又は許容範囲から熱風炉排ガス発生一熱風炉施設（例えば、温度が低過ぎるもの、又はＣＯ又Ｏ２濃度が高過ぎるもの）を分離するのに用いることができる。
【符号の説明】
【００４５】
１０   粉砕・乾燥装置
２０   粉砕機
２１   粗炭貯蔵ビン
２２   コンベア
２４   粉砕機ガス注入口
２６   高温ガス発生器
２７   バーナー
２８   導管
３０   粉砕機出口
３２   導管
３４   フィルタ
３６   微粉炭貯蔵ビン
３８   排出路
４０   排気路
４２   再循環路
４４   煙突
４６   熱風炉排ガス路
４８   熱風炉施設
５２   再循環ダンパ
５４   熱風炉排気ファン
５６   主要ファン
６０   水噴射装置
６２   ガス分析器
６４   熱風炉排気ダンパ
６６   制御ダンパ
６８   導管
７０   熱風炉施設ダンパ
【図１】
0005656870.tif 000002